(57)【要約】【課題】各オーディオソース毎に設定されているソース間バランス値を変更することが可能なオーディオ装置を提供する。【解決手段】本発明に係るオーディオ装置５０によれば、各オーディオソース毎に設定されているソース間バランス値を自由に変更することが可能なため、ユーザに対する利便性が向上する。また、搭載するオーディオソースの音声信号レベルの仕様が変更となっても、ソース間バランス値を変更することでこれに容易に対応することができる。【選択図】図１
2009005067.tif 000002
【特許請求の範囲】
【請求項１】
音声信号を出力する複数のオーディオソースと、
特定のオーディオソースを基準にしてオーディオソース毎に設定されたソース間バランス値に基づき前記オーディオソースから出力される音声信号の音量レベルを増減させる音量調整部と、
当該音量調整部を制御する制御部と、を有するオーディオ装置において、
所定の入力動作が行われることにより前記制御部がソース間バランス値を変更するとともに、変更後のソース間バランス値を記録部に記録させることを特徴とするオーディオ装置。
【発明の詳細な説明】
【技術分野】
【０００１】
本発明は、複数のオーディオソースからの音声信号を出力するオーディオ装置に関し、特にオーディオソース毎に設定されているソース間バランス値を変更することが可能なオーディオ装置に関するものである。
【背景技術】
【０００２】
従来より、据置型のコンポーネントステレオや車載型のカーステレオなどに代表されるオーディオ装置は、ラジオチューナや磁気カセットデッキ等の複数のオーディオソース（音源）を有しており、ユーザが選択したオーディオソースからのアナログ音声信号もしくはデジタル音声信号を変換、増幅してスピーカ、ヘッドホン等の音声出力部から音声として出力する。そして、このオーディオソースとしては、上記のものに加えてＣＤプレーヤ、ＭＤプレーヤ、外部入力端子としてのＡＵＸ入力端子等、多岐に亘っている。また近年、特に車載型のオーディオ装置においては、音声再生機能と映像再生機器さらにはカーナビゲーションシステムとの複合化が進み、このようなオーディオ装置のオーディオソースとしては、ＤＶＤプレーヤ、ハードディスクドライブ、テレビチューナ等からの音声信号出力が加わることとなる。このように、オーディオ装置に搭載されるオーディオソースの種類は多様化し、また搭載するオーディオソースの数も増加傾向にある。
【０００３】
これらのオーディオ装置からの音声出力に対する音量調整は、主にユーザによる音量ボリュームの操作によって行われる。尚、下記［特許文献１］には、後方スピーカの音量を下げる際に、前方スピーカの低域の音量を調整して、車室内の低音感の減少を防止する音場調整回路付き車載用ステレオ再生装置に関する発明が開示されている。
【０００４】
【特許文献１】特開平９−２００８９９号公報
【発明の開示】
【発明が解決しようとする課題】
【０００５】
［特許文献１］に開示された発明は、ユーザが音量ボリュームを操作して音量調整を行う際に、各スピーカにおける所定音域の音量を自動的に調整するものである。しかし、複数のオーディオソースを有するオーディオ装置では、ユーザがオーディオソースの切り替えを行った際にも出力音声の音量が変化する。これは、それぞれのオーディオソースから出力される音声信号の音量レベルが、オーディオソース毎に異なっていることに起因している。このため、一般的なオーディオ装置には、ユーザがオーディオソースの切り替えを行っても音声出力の音量が急激に変化しないよう、各オーディオソースから出力される音声信号のゲインを、予め各オーディオソース毎に設定されているソース間バランス値に基づいて増減し、調整する機構を有している。
【０００６】
しかしながら、ソース間バランス値はオーディオソース毎に固定されたものであり、変更することはできない。このため、ソース間バランス値が適切でない場合やユーザの意に反するものである場合、ユーザはオーディオソースの切り替え時毎に手動で音量調整を行わなければならないという欠点がある。また、オーディオソースの音声信号レベルの仕様が変更されたり、メーカ等から特別なソース間バランス値の設定要求があると、それらに対応するために音量調整部及びそれらを制御する制御部などを新たに組み直す必要があり極めて非効率的であった。
【０００７】
本発明は上記事情に鑑みてなされたものであり、各オーディオソース毎に設定されているソース間バランス値を変更することが可能なオーディオ装置を提供することを目的とする。
【課題を解決するための手段】
【０００８】
本発明は、音声信号を出力する複数のオーディオソース２０ａ〜２０ｄと、
特定のオーディオソース２０ａを基準にしてオーディオソース２０ｂ、２０ｃ、２０ｄ毎に設定されたソース間バランス値に基づき前記オーディオソース２０ｂ、２０ｃ、２０ｄから出力される音声信号の音量レベルを増減させる音量調整部２４と、
当該音量調整部２４を制御する制御部３０と、を有するオーディオ装置５０において、
所定の入力動作が行われることにより前記制御部３０がソース間バランス値を変更するとともに、変更後のソース間バランス値を記録部３４に記録させることを特徴とするオーディオ装置５０を提供することにより、上記課題を解決する。
【発明の効果】
【０００９】
本発明に係るオーディオ装置は、上記のような構成のため、
ユーザが独自のソース間バランス値を設定することで、オーディオソースの切替を行ってもその都度、音量調整を行う必要が無くなり、ユーザに対する利便性が向上する。また、オーディオソースの音量信号レベルの仕様が変更となっても、これに容易に対応することができる。
【発明を実施するための最良の形態】
【００１０】
本発明に係るオーディオ装置の実施の形態について図面に基づいて説明する。図１は本発明に係るオーディオ装置のブロック図である。図２は本発明に係るオーディオ装置のソース間バランス値の変更に関するフローチャートである。尚、図１においては、本発明と直接関係の無いブロックに関しての記載及び説明は省略するものとする。
【００１１】
図１に示す、本発明に係るオーディオ装置５０は、複数のオーディオソース２０ａ、２０ｂ、２０ｃ、２０ｄと、オーディオソース２０ａ〜２０ｄのうちからユーザ等により選択されたオーディオソース２０ｘからの音声信号のみを音量調整部２４に伝達する切替部２２と、オーディオソース２０ｘから出力された音声信号の音量レベルをオーディオソース毎に設けられたソース間バランス値に基づき調整する音量調整部２４と、音量調整部２４を制御する制御部３０と、ユーザ等のキー入力などを受けて制御部３０に対し所定の処理命令の実行を指示する入力部３２と、各オーディオソース２０ａ〜２０ｄのソース間バランス値などを記録する記録部３４と、を有している。更に、オーディオ装置５０は、制御部３０からの制御により入力部３２からの入力情報や選択されているオーディオソース２０ｘ、音量等の動作状況、再生曲名、受信ラジオチャンネル、その他の各種情報をユーザに対して表示する液晶ディスプレイ、ＥＬディスプレイなどの表示部３６と、音量調整部２４により調整されたデジタル音声信号をアナログ音声信号に変換するＤ/Ａコンバータ２５と、変換されたアナログ音声信号を増幅するアンプ部２６と、アンプ部２６で増幅された音声信号を音声として出力するスピーカ等の音声出力部２８とを有している。尚、オーディオ装置５０には、音量調整部２４とＤ/Ａコンバータ２５との信号経路間に音声出力の音質等を変化させたり音響効果を付与したりするコントロールアンプ等を設けても良い。また、本例においてはオーディオソースが４つの例を示すが、オーディオソースの数には特に限定は無く、任意の数とすることができる。
【００１２】
オーディオソース２０ａ、２０ｂ、２０ｃ、２０ｄとしては、ＦＭチューナ、ＡＭチューナ、ＣＤプレーヤ、ＭＤプレーヤ、磁気カセットデッキ、ＡＵＸ端子、更には、ＤＶＤプレーヤやハードディスクドライブ、ＴＶチューナなどの音声信号出力が挙げられる。尚、オーディオソース２０ａ〜２０ｄがアナログ音声信号を出力する場合には、切替部２２とオーディオソース２０ａ〜２０ｄとの信号経路間にアナログ音声信号をデジタル音声信号に変換するＡ/Ｄコンバータを設けることが好ましい。
【００１３】
記録部３４は、各オーディオソース２０ａ〜２０ｄのソース間バランス値などを記録するためのものであり、ＥＥＰＲＯＭのような不揮発性の半導体メモリを用いることが好ましい。尚、記録部３４としてＥＥＰＲＯＭ以外の周知の記録メモリを用いても良い。また、入力部３２は各種の操作キーが配列された操作パネルやリモコン、オーディオ装置５０が車載型の場合には表示部３６を兼ねたタッチパネルなどが用いられる。
【００１４】
制御部３０はオーディオソース２０ｘの切替、音量調整部２４の制御はもとより、入力部３２を介して受信するユーザ等からの指示信号や、オーディオソース２０ａ〜２０ｄ、及びその他のブロックなどからの信号等により、オーディオ装置５０の全体に対する制御を行う。
【００１５】
次に、本発明に係るオーディオ装置５０の動作を説明する。先ず、オーディオ装置５０の電源がオンすると、所定のオーディオソース２０ｘからの音声信号が切替部２２を介して音量調整部２４に出力される。尚、このときのオーディオソース２０ｘは、直前の起動時にオーディオ装置５０が選択していたオーディオソース２０ｘが選択されることが一般的である。オーディオソース２０ｘからの音声信号が音量調整部２４に出力されると、音量調整部２４は記録部３４に予め記録されているオーディオソース２０ｘのソース間バランス値を制御部３０を介して取得し、そのソース間バランス値に基づいて音声信号の音量レベルを調整する。そして、音量調整部２４により音量レベルが調整された音声信号は、Ｄ/Ａコンバータ２５によりアナログ音声信号に変換された後、アンプ部２６で増幅され音声出力部２８によって音声として出力される。尚、ソース間バランス値はある特定のオーディオソース（ここでは仮にオーディオソース２０ａとする）、を基準として相対的に音量レベルを増減するものであるから、基準となるオーディオソース２０ａにはソース間バランス値は存在しない。このため、オーディオソース２０ｘがソース間バランス値の基準となるオーディオソース２０ａである場合には、音量調整部２４は音声信号の音量レベルを変化させずにそのままＤ/Ａコンバータ２５に出力する。また、上記と同様の理由からソース間バランス値の基準となるオーディオソース２０ａに対しては、後述するソース間バランス値の変更処理は行う事ができない。
【００１６】
次に、ユーザなどが入力部３２等を介して別のオーディオソース２０ｙを選択すると、制御部３０はオーディオソース２０ｘの動作を停止させるとともにオーディオソース２０ｙを起動させる。また、制御部３０の制御によって切替部２２は、オーディオソース２０ｙからの音声信号のみを音量調整部２４に伝達するようにオーディオソースと音量調整部２４と間の接続を切り替える。そして、オーディオソース２０ｙからの音声信号が音量調整部２４に入力すると、音量調整部２４は記録部３４に予め記録されているオーディオソース２０ｙのソース間バランス値を制御部３０を介して取得し、そのソース間バランス値に基づいて音声信号の音量レベルを調整する。音量レベルが調整された音声信号は、Ｄ/Ａコンバータ２５、アンプ部２６を介して音声出力部２８にて音声として出力される。
【００１７】
次に、制御部３０におけるソース間バランス値の変更処理を図２に示すフローチャートを用いて説明する。先ず、入力部３２を介して制御部３０に所定のソース間バランス値変更コマンドが入力される（ステップＳ１００）。尚、ソース間バランス値の変更は頻繁に行うものではないから、上記のソース間バランス値変更コマンドの入力は、入力部３２の複数の操作キーを所定の時間以上継続して押し続けるなどの特殊な入力操作によることが好ましい。
【００１８】
ソース間バランス値変更コマンドが入力されると制御部３０は、表示部３６に対し例えば選択中のオーディオソース２０ｘにおけるソース間バランス値の変更画面を表示させる（ステップＳ１０２）。そして、オーディオソース２０ｘに対するソース間バランス値の変更値が入力されるまで待機する（ステップＳ１０４）。
【００１９】
ステップＳ１０４において、ソース間バランス値の変更値が入力部３２のキー操作などにより入力されると、制御部３０はその変更値を受けてオーディオソース２０ｘのソース間バランス値を変更し、記録部３４におけるオーディオソース２０ｘのソース間バランス値を変更後のものに書き換える。また、制御部３０は音量調整部２４を制御して、変更後のソース間バランス値によるオーディオソース２０ｘの音量レベルの調整を行わせる（ステップＳ１０６）。これにより、ソース間バランス値の変更処理は終了（ステップＳ１０８）し、制御部３０はソース間バランス値変更コマンド入力前の動作に復帰する。
【００２０】
そしてこれ以降、オーディオソース２０ｘが選択された場合には、記録部３４から変更後のソース間バランス値が読み出されて、音量調整部２４がこの変更後のソース間バランス値に基づいて音声信号の音量レベルを調整する。
【００２１】
尚、変更値の入力は、前に記録しているソース間バランス値に対しその値を増減するような入力方式を採用しても良いし、ソース間バランス値を直接入力するような入力方式を採用しても良い。更に、ソース間バランス値変更コマンドが入力されると、選択されているオーディオソース２０ｘのみならず、全てのオーディオソース２０ｂ、２０ｃ、２０ｄのソース間バランス値の変更処理を順次行うような構成としても良い。
【００２２】
以上のように、本発明に係るオーディオ装置５０によれば、各オーディオソース毎に設定されているソース間バランス値を自由に変更することが可能なため、ユーザが独自のソース間バランス値を設定することで、オーディオソースの切替を行った場合でもユーザにとって快適な音量での音声出力が行われる。よって、ユーザはオーディオソースの切替時毎に音量調整を行う必要が無く、ユーザに対する利便性が向上する。また、搭載するオーディオソースの音声信号レベルの仕様が変更となっても、ソース間バランス値を変更することでこれに容易に対応することができる。このため、新たに制御部３０等を組み直す必要がなく、オーディオ装置５０の製造効率の向上を図ることが可能となる。
【００２３】
尚、本発明に係るオーディオ装置５０は車載型のオーディオ装置に対して特に好適である。また、本発明は本発明の要旨を逸脱しない範囲で変更して実施することが可能である。
【図面の簡単な説明】
【００２４】
【図１】本発明に係るオーディオ装置のブロック図である。
【図２】本発明に係るオーディオ装置のソース間バランス値の変更に関するフローチャートである。
【符号の説明】
【００２５】
２０ａ〜２０ｄ    オーディオソース
２４    音量調整部
３０    制御部
３４    記録部
５０    オーディオ装置
【図１】
2009005067.tif 000003
【図２】
2009005067.tif 000004